(57)【要約】【課題】画像信号線１４８に供給されたデータ信号Ｖidをデータ線１１４にサンプリングするＴＦＴ１４４の特性変化による影響を少なくする。【解決手段】画像信号線１４８に供給されたデータ信号Ｖidをダミーデータ線１１５にサンプリングするＴＦＴ１４５を設ける。ここで、画像信号線１４８に供給されたデータ信号Ｖidと、ダミーデータ線１１５にサンプリングされた信号Ｍbとの差電圧を算出し、当該差電圧に基づいて、画像信号線１４８に供給するデータ信号の電圧を補正する。差電圧の算出は、垂直帰線期間または水平帰線期間に実行する。【選択図】図１
2008216426.tif 000002
【特許請求の範囲】
【請求項１】
階調に応じた電圧のデータ信号が供給される画像信号線と、
複数列のデータ線の各々に設けられ、前記画像信号線に供給されたデータ信号をそれぞれデータ線にサンプリングする複数のサンプリング用スイッチング素子と、
複数行の走査線と複数列のデータ線との交差に対応して設けられ、走査線が選択されたときに、データ線にサンプリングされたデータ信号の電圧に応じた階調となる複数の画素と、
を有する電気光学装置のデータ信号供給回路であって、
ダミーデータ線と、
前記画像信号線に供給されたデータ信号を前記ダミーデータ線にサンプリングするモニター用スイッチング素子と、
前記画像信号線に供給されたデータ信号の電圧と、前記ダミーデータ線にサンプリングされた電圧との差電圧を求め、前記画像信号線に供給するデータ信号の電圧を当該差電圧に基づいて補正する補正回路と、
を具備することを特徴とする電気光学装置のデータ信号供給回路。
【請求項２】
前記モニター用スイッチング素子によるサンプリングを、垂直走査期間または水平帰線期間に実行する
ことを特徴とする請求項１に記載の電気光学装置のデータ信号供給回路。
【請求項３】
前記モニター用スイッチング素子によって前記ダミーデータ線にサンプリングされるデータ信号の電圧は２値以上であり、
前記補正回路は、
前記ダミーデータ線にサンプリングされた電圧を平滑化するローパスフィルタを有し、
前記画像信号線に供給されたデータ信号の平均電圧と、前記ローパスフィルタの出力電圧との差を、前記差電圧として求める
ことを特徴とする請求項１に記載の電気光学装置のデータ信号供給回路。
【請求項４】
前記データ信号の電圧は、画素の階調および極性によって定まり、
前記補正回路は、
前記差電圧を、画素の階調および極性に応じて予め記憶したルックアップテーブルを有し、
画素の階調および極性に応じた差電圧を前記ルックアップテーブルから読み出し、読み出した差電圧に基づいて前記データ信号の電圧を補正し、
前記ルックアップテーブルに記憶された所定階調および所定極性の差電圧を、前記画像信号線に前記所定階調および前記所定極性の電圧のデータ信号が供給されたときに求めた差電圧に更新する
ことを特徴とする請求項１に記載の電気光学装置のデータ信号供給回路。
【請求項５】
前記画像信号線が複数のｍ本である場合に、
ダミーデータ線がｍ本であり、
前記モニター用スイッチング素子がｍ個であり、
前記ｍ個のモニター用スイッチング素子の各々は、前記ｍ本の画像信号線に供給されたデータ信号をそれぞれ前記ｍ個のダミーデータ線にサンプリングし、
前記補正回路は、
前記ｍ本のうち、一の画像信号線に供給されたデータ信号の電圧と、前記一の画像信号線に供給されたデータ信号がサンプリングされた電圧との差電圧に基づいて、前記一の画像信号線に供給すべきデータ信号の電圧を補正する
ことを特徴とする請求項１に記載の電気光学装置のデータ信号供給回路。
【請求項６】
階調に応じた電圧のデータ信号が供給される画像信号線と、
複数列のデータ線の各々に設けられ、前記画像信号線に供給されたデータ信号をそれぞれデータ線にサンプリングする複数のサンプリング用スイッチング素子と、
複数行の走査線と複数列のデータ線との交差に対応して設けられ、走査線が選択されたときに、データ線にサンプリングされたデータ信号の電圧に応じた階調となる複数の画素と、
を有する電気光学装置のデータ信号供給方法であって、
ダミーデータ線と、
前記画像信号線に供給されたデータ信号を前記ダミーデータ線にサンプリングするモニター用スイッチング素子と、
を設け、
前記画像信号線に供給されたデータ信号の電圧と、前記ダミーデータ線にサンプリングされた電圧との差電圧を求め、
前記画像信号線に供給するデータ信号の電圧を当該差電圧に基づいて補正する
ことを特徴とする電気光学装置のデータ信号供給方法。
【請求項７】
階調に応じた電圧のデータ信号が供給される画像信号線と、
複数列のデータ線の各々に設けられ、前記画像信号線に供給されたデータ信号をそれぞれデータ線にサンプリングする複数のサンプリング用スイッチング素子と、
複数行の走査線と複数列のデータ線との交差に対応して設けられ、走査線が選択されたときに、データ線にサンプリングされたデータ信号の電圧に応じた階調となる複数の画素と、
ダミーデータ線と、
前記画像信号線に供給されたデータ信号を前記ダミーデータ線にサンプリングするモニター用スイッチング素子と、
前記画像信号線に供給されたデータ信号の電圧と、前記ダミーデータ線にサンプリングされた電圧との差電圧を求め、前記画像信号線に供給するデータ信号の電圧を当該差電圧に基づいて補正する補正回路と、
を具備することを特徴とする電気光学装置。
【請求項８】
一端が前記ダミーデータ線に接続され、他端が所定電位の給電線に接続されたダミー容量を備える
ことを特徴とする請求項７に記載の電気光学装置。
【請求項９】
請求項７に記載の電気光学装置を有することを特徴とする電子機器。
【発明の詳細な説明】
【技術分野】
【０００１】
本発明は、環境温度や経年変化などによるトランジスタのスイッチング特性の変化に対して、表示品位の影響を少なく抑える技術に関する。
【背景技術】
【０００２】
近年では、液晶装置のような電気光学装置を用いて画像を形成するとともに、この縮小画像を光学系によって拡大投射するプロジェクタが普及しつつある。このプロジェクタは、それ自体で画像を作成する機能はなく、パソコンやテレビチューナなどの上位装置から画像データ（または画像信号）の供給を受ける。この画像データは、マトリクス状に配列する画素の階調（明るさ）を画素毎に指定するものであって、画素配列を垂直および水平走査した形式で供給される。
【０００３】
このため、電気光学装置における画像形成は、第１に、走査線を１行ずつ順次選択するとともに、第２に、ある１行の走査線を選択したとき、１（または複数列）のデータ線を順次選択するためのサンプリング信号を出力し、第３に、画像信号線を介して供給されたデータ信号をサンプリング信号にしたがってデータ線にサンプリングする、という点順次（ブロック順次）駆動方式が一般的である。
この画像形成の際に、サンプリング信号が適切に出力されないと、表示乱れなどの原因になってしまうので、サンプリング信号の出力を規定するイネーブル信号を表示パネルに供給するとともに、モニターして、モニターしたイネーブル信号の遅延状態によって、表示パネルに供給するイネーブル信号の位相を調整する技術が提案されている（特許文献１参照）。
【特許文献１】特開２００３−１５７０６３号公報
【発明の開示】
【発明が解決しようとする課題】
【０００４】
ところで、画像信号線に供給されたデータ信号をサンプリング信号にしたがってサンプリングするのは、ＴＦＴのようなスイッチング素子である。この種のスイッチング素子では、そのスイッチング特性は、環境温度や経年変化によって変化する。したがって、サンプリング信号が上記技術によって適切に出力されたとしても、データ線にデータ信号をサンプリングするスイッチング素子の特性が環境温度等によって変化してしまうと、目的とする電圧をデータ線に正しくサンプリングすることができなくなり、表示品位が低下してしまう。
本発明は、上述した事情に鑑みてなされたもので、その目的とするところは、データ線にデータ信号をサンプリングするスイッチング素子の特性が環境温度等によって変化しても、表示品位への影響を少なく抑えた電気光学装置、データ信号の供給回路、供給方法および電子機器を提供することにある。
【課題を解決するための手段】
【０００５】
上記目的を達成するために本発明に係る電気光学装置のデータ信号供給回路は、階調に応じた電圧のデータ信号が供給される画像信号線と、複数列のデータ線の各々に設けられ、前記画像信号線に供給されたデータ信号をそれぞれデータ線にサンプリングする複数のサンプリング用スイッチング素子と、複数行の走査線と複数列のデータ線との交差に対応して設けられ、走査線が選択されたときに、データ線にサンプリングされたデータ信号の電圧に応じた階調となる複数の画素と、を有する電気光学装置のデータ信号供給回路であって、ダミーデータ線と、前記画像信号線に供給されたデータ信号を前記ダミーデータ線にサンプリングするモニター用スイッチング素子と、前記画像信号線に供給されたデータ
信号の電圧と、前記ダミーデータ線にサンプリングされた電圧との差電圧を求め、前記画像信号線に供給するデータ信号の電圧を当該差電圧に基づいて補正する補正回路と、を具備することを特徴とする。本発明によれば、サンプリング用スイッチング素子の特性が変化しても、その特性変化による不足分が差電圧として予めデータ信号に上乗せされるので、特性変化による影響をキャンセルすることができる。
【０００６】
本発明において、前記モニター用スイッチング素子によるサンプリングを、垂直走査期間または水平帰線期間に実行しても良い。また、本発明において、前記モニター用スイッチング素子によって前記ダミーデータ線にサンプリングされるデータ信号の電圧は２値以上であり、前記補正回路は、前記ダミーデータ線にサンプリングされた電圧を平滑化するローパスフィルタを有し、前記画像信号線に供給されたデータ信号の平均電圧と、前記ローパスフィルタの出力電圧との差を、前記差電圧として求めても良い。
さらに、本発明において、前記データ信号の電圧は、画素の階調および極性によって定まり、前記補正回路は、前記差電圧を、画素の階調および極性に応じて予め記憶したルックアップテーブルを有し、画素の階調および極性に応じた差電圧を前記ルックアップテーブルから読み出し、読み出した差電圧に基づいて前記データ信号の電圧を補正し、前記ルックアップテーブルに記憶された所定階調および所定極性の差電圧を、前記画像信号線に前記所定階調および前記所定極性の電圧のデータ信号が供給されたときに求めた差電圧に更新する構成としても良い。
くわえて本発明において、前記画像信号線が複数のｍ本である場合に、ダミーデータ線がｍ本であり、前記モニター用スイッチング素子がｍ個であり、前記ｍ個のモニター用スイッチング素子の各々は、前記ｍ本の画像信号線に供給されたデータ信号をそれぞれ前記ｍ個のダミーデータ線にサンプリングし、前記補正回路は、前記ｍ本のうち、一の画像信号線に供給されたデータ信号の電圧と、前記一の画像信号線に供給されたデータ信号がサンプリングされた電圧との差電圧に基づいて、前記一の画像信号線に供給すべきデータ信号の電圧を補正する構成としても良い。
【０００７】
なお、本発明は、電気光学装置のデータ信号供給回路のみならず、供給方法としても、また、電気光学装置、さらには、当該電気光学装置を有する電子機器としても概念することが可能である。ここで、電気光学装置として概念する場合には、一端が前記ダミーデータ線に接続され、他端が所定電位の給電線に接続されたダミー容量を備える構成としても良い。ダミーデータ線、ダミー容量およびモニター用スイッチング素子による積分回路の時定数は、データ線、寄生容量およびサンプリング用スイッチング素子スイッチング素子による積分回路の時定数と同じとなるように構成するのが望ましい。
【発明を実施するための最良の形態】
【０００８】
以下、本発明の実施形態について図面を参照して説明する。
【０００９】
＜第１実施形態＞
図１は、本実施形態に係る電気光学装置の構成を示すブロック図である。
この図に示されるように、電気光学装置１０は、制御回路５０と液晶表示パネル１００とを含む。
このうち、液晶表示パネル１００は、表示領域１００ａの周辺に走査線駆動回路１３０およびデータ線駆動回路１４０を内蔵した周辺回路内蔵型となっている。表示領域１００ａでは、１０８０行の走査線１１２が行（Ｘ）方向に延在するように設けられ、また、１９２０列のデータ線１１４が列（Ｙ）方向に延在するように、かつ、各走査線１１２と互いに電気的に絶縁を保つように設けられ、さらに、画素１１０が１０８０行の走査線１１２と１９２０列のデータ線１１４との交差に対応して、それぞれ配列している。したがって、本実施形態では、画素１１０が縦１０８０行×横１９２０列のマトリクス状に配列することになる。
また、本実施形態では、画素１１０の配列領域外に、ダミーデータ線１１５が設けられている。
【００１０】
説明の便宜上、画素１１０の構成について図２を参照して説明する。図２は、ｉ行及びこれと１行下で隣接する（ｉ＋１）行と、ｊ列及びこれと１列右で隣接する（ｊ＋１）列との交差に対応する２×２の計４画素分の構成を示している。なお、ｉ、（ｉ＋１）は、画素１１０が配列する行を一般的に示す場合の記号であって、この例では、１以上１０８０以下の整数である。また、ｊ、（ｊ＋１）は、画素１１０が配列する列を一般的に示す場合の記号であって、この例では、１以上１９２０以下の整数である。
【００１１】
図２に示されるように、各画素１１０は、ｎチャネル型の薄膜トランジスタ（thin film transistor：以下「ＴＦＴ」と称する）１１６と液晶容量１２０とを含む。
ここで、各画素１１０については互いに同一構成なので、ｉ行ｊ列に位置するもので代表させて説明すると、当該ｉ行ｊ列の画素１１０におけるＴＦＴ１１６のゲート電極はｉ行目の走査線１１２に接続される一方、そのソース電極はｊ列目のデータ線１１４に接続され、そのドレイン電極は液晶容量１２０の一端である画素電極１１８に接続されている。また、液晶容量１２０の他端は、対向電極１０８に接続されている。この対向電極１０８は、全ての画素１１０にわたって共通であって、本実施形態では、時間的に一定の電圧ＬＣcomが印加されている。
【００１２】
この液晶表示パネル１００は、特に図示しないが、素子基板と対向基板との一対の基板が一定の間隙を保って貼り合わせられるとともに、この間隙に液晶が封止された構成となっている。このうち、素子基板には、走査線１１２や、データ線１１４、ＴＦＴ１１６および画素電極１１８が走査線駆動回路１３０やデータ線駆動回路１４０とともに形成される一方、対向基板に対向電極１０８が形成されて、これらの電極形成面が互いに対向するように一定の間隙を保って貼り合わせられている。このため、本実施形態において液晶容量１２０は、画素電極１１８と対向電極１０８とで液晶１０５を挟持することによって構成される。
なお、本実施形態では、液晶容量１２０において保持される電圧実効値がゼロに近ければ、液晶容量を通過する光の透過率が最大となって白色表示になる一方、電圧実効値が大きくなるにつれて透過率が減少して、ついには透過率が最小の黒色表示になるノーマリーホワイトモードに設定されている。
【００１３】
この構成において、走査線１１２に選択電圧を印加し、ＴＦＴ１１６をオン（導通）させるとともに、画素電極１１８に、データ線１１４およびオン状態のＴＦＴ１１６を介して、階調（明るさ）に応じた電圧のデータ信号を供給すると、選択電圧を印加した走査線１１２とデータ信号を供給したデータ線１１４との交差に対応する液晶容量１２０に、階調に応じた電圧を書き込むことができる。
なお、走査線１１２が非選択電圧になると、ＴＦＴ１１６がオフ（非導通）状態となるが、液晶容量１２０では、ＴＦＴ１１６がオン状態となったときに書き込まれた電圧が、その容量性により保持される。
【００１４】
走査線駆動回路１３０は、それぞれ１、２、３、…、１０８０行目の走査線１１２を、それぞれこの順番で選択して、この選択に応じた走査信号Ｇ1、Ｇ2、Ｇ3、…、Ｇ1080を
、供給するものである。ここで、走査線駆動回路１３０は、選択した走査線への走査信号をＨレベルに相当する電圧Ｖddとし、それ以外の走査線への走査信号をＬレベルに相当する非選択電圧（接地電位Ｇnd）とする。
走査線駆動回路１３０の構成については、特に詳述しないが、簡単にいえば例えば図５に示されるように、垂直走査期間（Ｆ）の最初に供給されるスタートパルスＤyを、クロ
ック信号Ｃlyの論理レベルが遷移する（立ち下がり及び立ち上がる）毎に順番にシフト転
送して、このシフト信号を走査信号として出力する構成である。
【００１５】
データ線駆動回路１４０は、サンプリング信号出力回路１４２と、各データ線１１４にそれぞれ対応して設けられたｎチャネル型のＴＦＴ１４４とによって構成される。サンプリング信号出力回路１４２は、各行の走査線１１２が選択される水平走査期間にわたって、順次排他的にＨレベルとなるサンプリング信号Ｓ1、Ｓ2、Ｓ3、…、Ｓ1920を出力する
ものである。
なお、サンプリング信号出力回路１４２の構成については、特に詳述しないが、簡単にいえば例えば図６に示されるように、水平走査期間（Ｈ）の最初に供給されるスタートパルスＤxを、クロック信号Ｃlxの論理レベルが遷移する毎に順番にシフト転送して、この
シフト信号をサンプリング信号として出力する構成である。
ＴＦＴ１４４は、サンプリング用スイッチング素子として機能するものであり、そのソース電極が後述するデータ信号Ｖidが供給される画像信号線１４８に接続され、そのドレイン電極がデータ線１１４に接続されて、そのゲート電極には、サンプリング信号が供給される。詳細には例えばｊ列目のＴＦＴ１４４は、そのドレイン電極がｊ列目のデータ線１１４に接続され、そのゲート電極には、サンプリング信号Ｓjが供給される。したがっ
て、サンプリング信号ＳjがＨレベルになると、ｊ列目のＴＦＴ１４４がオン状態となっ
て、画像信号線１４８に供給されたデータ信号Ｖidを、ｊ列目のデータ線１１４にサンプリングする構成となっている。
【００１６】
説明を再び図１に戻すと、ＴＦＴ１４５は、モニター用スイッチング素子として機能するものであって、ＴＦＴ１４４と同じくｎチャネル型であり、そのソース電極が画像信号線１４８に接続され、そのドレイン電極がダミーデータ線１１５に接続されて、そのゲート電極には、後述する信号Ｄeが供給されている。なお、ＴＦＴ１４５は、ＴＦＴ１４４
と同じ特性となるように設計されている。
ここで、ＴＦＴ１４５のドレイン電極、すなわち、ダミーデータ線１１５には、ダミー容量１３０の一端が接続されており、ダミー容量１３０の他端は、時間的に一定の電位、例えば電位Ｇndに接地されている。
ここで、ＴＦＴ１４５、ダミーデータ線１１５およびダミー容量１３０は、ＴＦＴ１４４から、寄生容量を有するデータ線１１４までに至る配線経路を模擬するためのものである。このため、ＴＦＴ１４５（のオン抵抗）と、ダミーデータ線１１５の配線抵抗およびダミー容量１３０の容量による時定数は、ＴＦＴ１４４（のオン抵抗）、データ線１１４の配線抵抗およびデータ線１１４の寄生容量で決まる時定数と同じとなるように設計される。したがって、ＴＦＴ１４５のオンによって、ダミーデータ線１１５にサンプリングされた信号Ｍbの電圧は、ＴＦＴ１４４のオンによってデータ線１１４にサンプリングされ
る電圧と同一視して良いことになる。
【００１７】
制御回路５０は、走査線駆動回路１３０およびデータ線駆動回路１４０を制御するとともに、これらの制御に合わせて画像信号線１４８にデータ信号Ｖidを供給するものである。
【００１８】
図３は、制御回路５０の構成を示すブロック図である。
この図に示されるように、制御回路５０には、図示しない上位回路から、画像データＶdが、垂直同期信号Ｖs、水平同期信号Ｈsおよびクロック信号Ｃlkに同期して供給される
。ここで、画像データＶdは、縦１０８０行×横１９２０列の画素１１０の階調を例えば
８ビットで指定するデジタルデータであり、図４に示されるように、垂直同期信号Ｖsで
規定される垂直走査期間（Ｆ）にわたって、１行１列〜１行１９２０列、２行１列〜２行１９２０列、３行１列〜３行１９２０列、…、１０８０行１列〜１０８０行１９２０列という画素の順番で供給される。この供給の際に、水平同期信号Ｈsで規定される水平走査
期間（Ｈ）において１行分の画像データＶdが供給され、さらに、クロック信号Ｃlkの１
周期で１画素分の画像データＶdが供給される。
【００１９】
なお、図４において、垂直帰線期間Ｆbとは、ある垂直走査期間において１０８０行１
９２０列の画素の画像データＶdが供給されてから、次の垂直走査期間において１行１列
の画素の画像データＶdが供給されるまでの期間をいう。
また、水平帰線期間Ｈbとは、ある水平走査期間において、１９２０列の画素の画像デ
ータＶdが供給されてから、次の水平走査期間において１列の画素の画像データＶdが供給されるまでの期間をいう。
本実施形態において８ビットの画像データＶdは、十進表記の「０」が最低階調の黒色
を指定し、数値が増加するにつれて明るくなる階調を指定し、「２５５」が最高階調の白色を指定するものとする。上述したように本実施形態ではノーマリーホワイトモードに設定されているので、階調値「２５５」で指定された白色とする場合には、液晶容量１２０で保持される電圧の実効値をゼロ近傍とし、階調値「０」で指定された黒色とする場合には、液晶容量１２０で保持される電圧の実効値を最高値とすれば良いことになる。
【００２０】
走査制御回路５２は、垂直同期信号Ｖs、水平同期信号Ｈsおよびクロック信号Ｃlkに同期して、スタートパルスＤx、Ｄyおよびクロック信号Ｃlx、Ｃlyを出力するとともに、垂直帰線期間ＦbにＨレベルとなる信号Ｄe、および、画素１１０への書込電圧の極性を指定する極性指定信号Ｐolを出力する。
詳細には、画像データＶdが図４に示されるように供給される場合に、走査制御回路５
２は、１行目の画像データＶdが供給される水平走査期間（Ｈ）に１行目の走査線１１２
が選択されるように、同様に、２、３、４、…、１０８０行の画像データＶdが供給され
る水平走査期間（Ｈ）にそれぞれ２、３、４、…、１０８０行目の走査線１１２が選択されるように、スタートパルスＤyおよびクロック信号Ｃlyを出力して走査線駆動回路１３
０を制御する。
さらに、走査制御回路５２は、ある走査線１１２が選択される水平走査期間（Ｈ）において、１列目の画像データＶdが供給されるときにサンプリング信号Ｓ1がＨレベルとなるように、同様に、２、３、４、…、１９２０列目の画像データＶdが供給されるときにそ
れぞれサンプリング信号Ｓ2、Ｓ3、Ｓ4、…、Ｓ1920がＨレベルとなるように、スタート
パルスＤxおよびクロック信号Ｃlxを出力してサンプリング信号出力回路１４２を制御す
る。
【００２１】
極性指定信号Ｐolは、液晶容量１２０に対する電圧の書込極性を指定する信号であり、例えばＨレベルであれば正極性を、Ｌレベルであれば負極性を、それぞれ指定する。ここで、正極性とは、対向電極１０８への印加電圧ＬＣcomよりもやや高位側に設定された基
準電圧Ｖc（図６）に対して高位側の電圧をいい、負極性とは、基準電圧Ｖcに対して低位側の電圧をいう。
また、本実施形態において書込極性については、電圧Ｖcを基準とするが、電圧につい
ては、特に説明のない限り、論理レベルのＬレベルに相当する接地電位Ｇndを電圧ゼロの基準としている。
【００２２】
ところで、対向電極１０８への印加電圧ＬＣcomは、基準電圧Ｖcよりも低位側に設定されることになるが、これは、ｎチャネル型のＴＦＴ１１６では、ゲート・ドレイン電極間の寄生容量に起因して、オンからオフに状態変化するときにドレイン（画素電極１１８）の電位が低下する、というプッシュダウンが発生するためである。仮に電圧ＬＣcomを基
準電圧Ｖcと一致させた場合、負極性書込による液晶容量１２０の電圧実効値が、プッシ
ュダウンのために、正極性書込による電圧実効値よりも若干大きくなってしまう（ＴＦＴ１１６がｎチャネルの場合）。このため、プッシュダウンの影響が相殺されるような適正値に、電圧ＬＣcomを基準電圧Ｖcよりも低位側にオフセットして設定しているのである。
また、マトリクス状に配列する画素に対してどの極性で書き込むかについては、走査線
毎、データ線毎、画素毎、面（フレーム）毎などの様々な態様があり、いずれでも良いが、本実施形態では、説明の便宜上、フレーム毎の極性反転としている。このため、本実施形態において、極性指定信号Ｐolの論理レベルは、図５に示されるように、同一の垂直走査期間（Ｆ）では一定である。
なお、液晶容量１２０に直流成分が印加されると、液晶が劣化するので、極性指定信号Ｐolは、同図に示されるように、垂直走査期間（Ｆ）毎に論理レベルが反転する。
【００２３】
データ信号変換回路５４は、デジタルの画像データＶdを、アナログのデータ信号Ｖda
に変換するものである。詳細には、データ信号変換回路５４は、画像データＶdが指定す
る階調値に応じた電圧であって、極性指定信号Ｐolで指定された極性の電圧のデータ信号Ｖdaに変換して、加算回路６８における一方の入力端に供給する。
加算回路６８における他方の入力端には、後述する電圧ΔＶが供給される。加算回路６８は、データ信号変換回路５４によるデータ信号Ｖdaを、電圧ΔＶだけ加算することによって補正する。
双投型のスイッチ７０は、信号ＤeがＬレベルであれば、図において実線の位置となっ
て、一方の入力端に供給された信号、つまり、加算回路６８により補正されたデータ信号を選択し、信号ＤeがＨレベルであれば、図において破線の位置となって、他方の入力端
に供給された信号、つまり、モニター信号生成回路５８によるモニター信号Ｍaを選択し
て、いすれかで選択した信号をデータ信号Ｖidとして、液晶表示パネル１００の画像信号線１４８に供給するものである。
【００２４】
バッファ回路６０は、ダミーデータ線１１５に現れる信号Ｍbの電圧を増幅する電圧増
幅率「１」のバッファ回路である。ローパスフィルタ（ＬＰＦ）６２は、一種の積分回路であり、バッファ回路６０による出力波形を平滑化して、減算回路６４における減算入力端（−）に供給する。
モニター信号生成回路５８は、極性指定信号Ｐolで指定された書込極性と反対極性であって所定の階調値、例えば階調値「１２８」に相当する電圧のモニター信号Ｍaを、減算
回路６４における加算入力端（＋）およびスイッチ７０における他方の入力端にそれぞれ供給するものである。
減算回路６４は、加算入力端（＋）に供給されたモニター信号Ｍaの電圧から減算入力
端（−）に供給されたＬＰＦ６２の出力信号の電圧を差し引いた差電圧Δを、出力するものである。ラッチ回路（Ｌ）６６は、ある垂直帰線期間において減算回路６４により出力された差電圧を、次の垂直走査期間にわたって保持出力するアナログラッチ回路である。
【００２５】
次に、本実施形態に係る電気光学装置１０の動作について説明する。この電気光学装置１０は、画像データＶdが指定する階調値に応じた電圧であって、極性指定信号Ｐolで指
定された極性の電圧のデータ信号Ｖdaを、差電圧ΔＶで補正するものである。そこでまず、差電圧ΔＶで補正しない場合の問題点を指摘した後に、その差電圧ΔＶで補正した場合について説明することにする。
【００２６】
まず、図４に示されるように、１行目の画素の階調を指定する画像データＶdが、１列
〜１０８０列という順番で供給される。この画像データＶdが供給される垂直走査期間に
おいて、極性指定信号Ｐolによって正極性書込が指定される場合、当該画像データＶdは
、データ信号変換回路５４によって正極性のデータ信号Ｖdaに変換される。
走査制御回路５２は、１行目の画像データＶdが供給される水平走査期間（Ｈ）にわた
って、走査信号Ｇ１がＨレベルとなるように走査線駆動回路１３０を制御するとともに、画像データＶdの供給に同期して、サンプリング信号Ｓ1、Ｓ2、Ｓ3、Ｓ4、…、Ｓ1920が
順番にＨレベルとなるように、サンプリング信号出力回路１４２を制御する。
【００２７】
１行目のうち、１列目の画素に対応する画像データＶdを変換したデータ信号Ｖda（Ｖi
d）が画像信号線１４８に出力されたときにサンプリング信号Ｓ1がＨレベルになる。これにより１列目のＴＦＴ１４４がオンするので、当該データ信号Ｖidが１列目のデータ線１１４にサンプリングされる。同様に、１行目のうち、２列、３列、４列、…、１９２０列の画素に対応するデータ信号Ｖda（Ｖid）が画像信号線１４８に出力されたときに、それぞれサンプリング信号Ｓ2、Ｓ3、Ｓ4、…、Ｓ1920がＨレベルになると、２、３、４、…
、１９２０列目のデータ線１１４には、それぞれ１行２列、１行３列、１行４列、…、１行１９２０列の画素に対応するデータ信号Ｖidがサンプリングされる。
一方、走査信号Ｇ1がＨレベルであると、１行目に位置する画素１１０におけるＴＦＴ
１１６がすべてオンするので、データ線１１４にサンプリングされたデータ信号Ｖidの電圧が画素電極１１８に印加される。このため、１行目であって１、２、３、４、…、１９２０列の画素における液晶容量１２０には、画像データＶdで指定された階調に相当する
正極性電圧が書き込まれて、保持されることになる。
【００２８】
次に、２行目の画素の階調を指定する画像データＶdが、１列〜１０８０列という順番
で供給される。２行目の画像データＶdが供給されるときも、１行目と同様な動作が実行
されるので、２行目であって１、２、３、４、…、１９２０列の画素における液晶容量１２０には、画像データＶdで指定された階調に相当する正極性電圧が書き込まれて、保持
されることになる。
以降同様な動作が１０８０行目の画像データＶdが供給されるまで繰り返される。これ
により、すべての画素における液晶容量１２０には、画像データＶdで指定された階調に
相当する正極性電圧が書き込まれて、保持されることになる。
なお、次の垂直走査期間でも同様な電圧の書き込み動作が実行されるが、本実施形態では上述したようにフレーム毎の極性反転としているので、書込極性が反転して負極性となる。このため、次の垂直走査期間において、すべての画素の液晶容量１２０には、画像データＶdで指定された階調に相当する負極性電圧が書き込まれて、保持されることになる
。
【００２９】
なお、図６は、ｉ行目の走査線１１２が選択される水平走査期間（Ｈ）においてデータ信号Ｖidの電圧波形の一例を示す図であり、データ信号Ｖidは、正極性書込であれば、黒色（最低階調）に相当する電圧Ｖb(+)から白色（最高階調）に相当する電圧Ｖw(+)までの範囲において画像データＶdで指定された分だけ、電圧Ｖb（+)から低位の電圧（図において↓で示す）となり、負極性書込であれば、黒色に相当する電圧Ｖb(-)から白色に相当する電圧Ｖw(-)までの範囲において画像データＶdで指定された分だけ、電圧Ｖb（-)から高位の電圧（図において↑で示す）となる。ここで、正極性の電圧Ｖb(+)と、負極性の電圧Ｖb(-)とは、それぞれ電圧Ｖcを中心に互いに対称の関係にある。電圧Ｖw(+)、Ｖw(-)に
ついても同様である。
また、図６におけるデータ信号Ｖidにおいて電圧を示す縦スケールは、他の電圧波形と比較して拡大してある。
【００３０】
ところで、ＴＦＴ１４４は、環境温度や経年変化などにより特性が変化する。例えば、経年変化によってスイッチング特性が劣化したり、オン抵抗が増大したりする。このため、画像信号線１４８に、階調値に応じた電圧のデータ信号が正しく供給されたとしても、ＴＦＴ１４４の特性が変化していれば、データ線１１４にサンプリングされる電圧は、画像信号線１４８に供給されたデータ信号Ｖidの電圧から乖離してしまうことになる。ここで、データ線１１４に階調値に応じた電圧が正しくサンプリングされない、ということは、画素を目的とする階調とすることができない、ということであるから、このことは、表示品位の低下に直結する。
そこで、本実施形態では、ＴＦＴ１４４の特性変化によってデータ線１１４にサンプリングされる電圧が乖離してしまう分だけ、予めデータ信号の電圧を上乗せする構成とした。この構成によって、ＴＦＴ１４４の特性変化によらずに、階調値に応じた電圧のデータ
信号が正しくデータ線１１４にサンプリングされる、という効果が期待できる。
【００３１】
そこで、データ信号変換回路５４により変換されたデータ信号Ｖdaを、差電圧ΔＶで補正する動作について説明することにする。
上述したように垂直帰線期間Ｆbになると、走査制御回路５２は、信号ＤeをＨレベルとする。信号ＤeがＨレベルになると、スイッチ７０は、他方の入力端に供給されたモニタ
ー信号Ｍaを選択する。
ここで、極性指定信号Ｐolにより正極性書込が指定されているとすると、垂直帰線期間Ｆbにおいて、モニター信号生成回路５８は、正極性とは反対極性である負極性であって
階調値「１２８」に相当する電圧のモニター信号Ｍaを出力する。スイッチ７０は、垂直
帰線期間Ｆbにおいて信号ＤeがＨレベルとなることにより、モニター信号Ｍaを選択して
いるので、液晶表示パネル１００の画像信号線１４８には、当該負極性電圧のモニター信号Ｍaが供給される。
【００３２】
信号ＤeがＨレベルであると、ＴＦＴ１４５がオンするので、当該モニター信号Ｍaが、ダミーデータ線１１５にサンプリングされる。ここで、ＴＦＴ１４５は、ＴＦＴ１４４と同一特性であるので、環境温度や経年変化に対して同じ特性で変化する。このため、ＴＦＴ１４５によってダミーデータ線１１５にサンプリングされた電圧は、特性が変化したＴＦＴ１４４によってデータ線にサンプリングされる電圧と考えて良いことになる。
ダミーデータ線１１５にサンプリングされた信号Ｍbの電圧は、バッファ回路６０によ
る電圧バッファリング、および、ＬＰＦ６２による平滑化を経て、減算回路６４における減算入力端（−）に供給される。
【００３３】
減算回路６４では、モニター信号Ｍaの電圧から信号Ｍbの電圧が減算されて、その差電圧ΔＶが求められる。この差電圧ΔＶは、画像信号線１４８に供給されたモニター信号Ｍaと、ＴＦＴ１４５によってダミーデータ線１１５にサンプリングされた電圧との差であ
り、この差は、画像信号線１４８に負極性電圧のデータ信号を供給したときに、当該負極性電圧と、ＴＦＴ１４４によってサンプリングされるであろうデータ線１１４の電圧との差にほぼ等しいと考えられる。
減算回路６４から出力された差電圧ΔＶは、ラッチ回路６６にラッチされて、次の負極性書込が指定される垂直走査期間にわたって保持・出力されて、データ信号変換回路５４により変換されるデータ信号Ｖdaに上乗せされる。
【００３４】
ラッチ回路６６により保持・出力される差電圧ΔＶは、画像信号線１４８に負極性電圧が供給されたときにＴＦＴ１４４によりデータ線にサンプリングされる電圧の降下分をシミュレートしたものである（図７（ｃ）参照）。この降下分が、負極性に変換されたデータ信号Ｖdaに上乗せされて、データ信号Ｖidとして画像信号線１４８に出力される。したがって、補正されたデータ信号Ｖidの電圧がＴＦＴ１４４によってデータ線１１４にサンプリングされると、データ線１１４にサンプリングされる電圧は、階調値に応じた負極性電圧に一致することになる（図７（ｄ）参照）。
【００３５】
なお、負極性書込が指定される垂直走査期間の最終部である垂直帰線期間Ｆbにおいて
、モニター信号生成回路５８は、負極性とは反対極性である正極性であって階調値「１２８」に相当する電圧のモニター信号Ｍaを出力する。このため、ラッチ回路６６により保
持された差電圧ΔＶは、画像信号線１４８に正極性電圧が供給されたときにＴＦＴ１４４によりデータ線にサンプリングされる電圧の降下分をシミュレートしたものとなる（図７（ａ）参照）。この降下分である差電圧ΔＶは、次の正極性書込が指定される垂直走査期間にわたって保持・出力されて、データ信号変換回路５４により変換される正極性のデータ信号Ｖdaに上乗せされるので、補正されたデータ信号Ｖidの電圧がＴＦＴ１４４によってデータ線１１４にサンプリングされると、データ線１１４にサンプリングされる電圧は
、階調値に応じた正極性電圧に一致することになる（図７（ｂ）参照）。
【００３６】
このように、本実施形態では、ＴＦＴ１４４の特性が環境温度や経年変化などにより変化しても、データ線１１４に、階調値に応じた電圧を正しくサンプリングさせることが可能となる。
【００３７】
上述した第１実施形態では、モニター信号Ｍaを、階調値「１２８」に応じた正極性ま
たは負極性電圧としたが、この階調値以外の電圧であっても良い。また、２以上の階調値に相当する電圧を用いても良い。
ここで、２つ階調値に相当する電圧を用いる場合の例としては、図８に示されるように、正極性書込が指定される垂直走査期間の垂直帰線期間（信号ＤeがＨレベルとなる期間
）を前半および後半に分け、このうち、前半期間において例えば階調値「９６」に応じた逆極性の負極性電圧とし、後半期間において例えば階調値「１６０」に応じた負極性電圧とし、同様に、負極性書込が指定される垂直走査期間の垂直帰線期間の前半および後半のうち、モニター信号Ｍaを、前半期間において階調値「９６」に応じた正極性電圧とし、
後半期間において階調値「１６０」に応じた正極性とすることが考えられる。
このようにモニター信号Ｍaを２つの階調値に相当する電圧で変化させた場合、ダミー
データ線１１５に現れる信号Ｍbの電圧も変化するが、その電圧変化はＬＰＦ６２で平滑
化されるので、信号Ｍbの平均値が加算回路６４の減算入力端（−）に供給される。した
がって、加算回路６４の加算入力端（＋）に、モニター信号Ｍaの電圧を変化させたとき
の平均値を供給すれば、誤差の小さい差電圧を求めることが可能となる。
なお、モニター信号Ｍaの電圧を変化させたときの平均値を求めるには、信号Ｍbと同様に、ＬＰＦで平滑化すれば良い。また、２つの階調値に相当する電圧に限られず、３以上の階調値に相当する電圧を用いても良い。
【００３８】
＜第２実施形態＞
上述した第１実施形態では、データ信号Ｖidをデータ線１１４にサンプリングするＴＦＴ１４４の特性変化による影響が抑えられるが、ＴＦＴ１４４についても、ＴＦＴ１１６と同様にプッシュダウンが発生し、その影響が無視できない場合がある。このプッシュダウンの原因は、ＴＦＴ１４４におけるゲート・ドレイン電極間の寄生容量であり、オンのときにデータ線１１４の寄生容量、および、ゲート・ドレイン電極間の寄生容量に蓄積された電荷が、オフになった瞬間に各容量に再分配されることに起因する。
ＴＦＴ１４４におけるゲート・ドレイン電極間の寄生容量は、一定でなく、ドレイン電圧によって変化する性質を有するので、ＴＦＴ１４４のプッシュダウンによる電圧低下分も、データ信号Ｖidの電圧に依存して変化することになる。
ここで、データ信号の電圧は、上述したように階調値および書込極性で定まる。このため、階調値および書込極性で定まる電圧毎に上記差電圧を記憶して、画像信号線１４８に供給するデータ信号の電圧を、記憶した差電圧で補正する構成とすれば良いことになる。ただし、この構成においても、環境温度や経年変化によるＴＦＴ１４４の特性変化による影響を抑える必要があるので、記憶する差電圧を逐一更新する必要がある。
【００３９】
第２実施形態は、ＴＦＴ１４４のプッシュダウンを考慮しつつ、環境温度や経年変化による特性変化による影響を抑えることを企図したものであり、図９は、第２実施形態にかかる電気光学装置のうち、制御回路５０の構成を示す図である。なお、他の部分については、第１実施形態と同様である。
画像データＶdで指定される階調値が「０」〜「２５５」である場合に、データ信号変
換回路５４によって変換されるデータ信号Ｖdaの電圧は、各階調値に対して正極性・負極性があるので５１２通りある。
図９におけるルックアップテーブル（ＬＵＴ）８２は、この５１２通りのそれぞれに応じた補正値データを予め記憶するものである。詳細には、ＬＵＴ８２は、図１０に示され
るように画像データＶdで指定される階調値「０」〜「２５５」のそれぞれに対し、正極
性および負極性の補正値（差電圧）データを予め記憶し、画像データＶdで指定された階
調値および極性指定信号Ｐolで指定された書込極性に応じた補正値データを出力する。例えば画像データＶdが入力された場合に、当該画像データで指定される階調値が「８」で
あって、正極性書込が指定されたとき、ＬＵＴ８２は補正値データＰ8を出力する。
Ｄ／Ａ変換回路（ＤＡＣ）８４は、ＬＵＴ８２から出力された補正値データを、アナログの差電圧ΔＶに変換して、加算回路６８における他方の入力端に供給する。
【００４０】
一方、Ａ／Ｄ変換回路（ＡＤＣ）８０は、減算回路６４によって求められた差電圧ΔＶを、デジタルデータに変換するものである。
第２実施形態におけるモニター信号生成回路５８は、モニター信号Ｍaの電圧として、
階調値「０」〜「２５５」のそれぞれについて正極性および負極性で、垂直走査期間（Ｆ）毎に切り替えながら順番に出力する。
ここで、モニター信号生成回路５８が例えば階調値「８」の正極性電圧のモニター信号Ｍaを出力した場合、減算回路６４で求められる差電圧ΔＶは、当該階調値「８」の正極
性電圧と、当該階調値「８」の正極性電圧を画像信号線１４８に供給したときにＴＦＴ１４４（１４５）のサンプリングによってデータ線１１４（ダミーデータ線１１５）に現れるであろう電圧と、の差電圧である。
【００４１】
したがって、この場合、ＬＵＴ８２では、階調値「８」であって正極性の補正値データＰ8が、減算回路６４で求められた差電圧ΔＶをＡ／Ｄ変換したデータに更新される。
この更新動作は、垂直走査期間毎に、階調値および極性を切り替えながら所定の順番で実行されるので、５１２個の補正値データをすべて更新するのに要する期間は、垂直走査期間の５１２倍の期間である約８．３秒となる（垂直走査期間が１６．７ミリ秒であるとした場合）。
このため、第２実施形態では、差電圧を直前の垂直帰線期間で検出する第１実施形態とは異なり、最大で８．３秒前に検出した差電圧でデータ信号Ｖdaを補正することになるが、環境温度や経年変化による特性変化は、この程度の時間で大幅に変化することはあり得ないので、ほとんど影響がない。
【００４２】
このように第２実施形態によれば、ＴＦＴ１４４の特性が環境温度や経年変化などにより変化しても、さらに、ＴＦＴ１４４にプッシュダウンが発生しても、データ線１１４に、階調値に応じた電圧を正しくサンプリングさせることが可能となる。
なお、ＬＵＴ８２において、画像データＶdで指定される階調値のすべてにつき、正極
性および負極性の補正値データを記憶・更新するという構成としたが、代表的な階調値に対する補正値データだけを記憶・更新し、記憶されていない階調値の補正値データについては、近隣階調値の補正データから補間して求める、という構成とすれば、ＬＵＴ８２に要する記憶容量が削減されるとともに、ＬＵＴ８２の補正値データの更新期間を短縮化することができる。
【００４３】
＜第３実施形態＞
上述した第１実施形態では、階調に応じた電圧のデータ信号Ｖidを１本の画像信号線１４８に供給するとともに、１列〜１９２０列目のデータ線に、この順番でサンプリングするという、いわゆる点順次の構成としたが、データ信号を時間軸にｎ（ｎは２以上の整数）倍に伸長するとともに、ｎ本の画像信号線に供給する、いわゆる相展開（シリアル−パラレル変換ともいう）駆動を併用した構成としても良い（例えば特開平２０００−１１２４３７号公報参照）。
【００４４】
第３実施形態に係る電気光学装置は、データ信号を時間軸に３倍に伸長した３相展開駆動を併用したものであり、図１１は、その構成を示すブロック図である。
この図に示されるように、データ信号Ｖidは、３相に展開されてデータ信号Ｖid1〜Ｖid3となって、３本の画像信号線１４８に供給されるとともに、サンプリング信号はＳ1〜
Ｓ640と１／３に減少する。
ここで、ＴＦＴ１４５は、３本の画像信号線１４８のそれぞれに対して設けられ、ダミーデータ線１１５も３本設けられる。
第３実施形態の制御回路５０については特に図示しないが、同じ信号Ｍaを３本の画像
信号線１４８に供給するとともに、当該信号Ｍaと、３本のダミーデータ線に現れる信号
Ｍb1〜Ｍb3の電圧との３つの差電圧を用いて、各相のデータ信号を補正する構成となる。３本の画像信号線１４８に、伝達特性に差があっても、各相がそれぞれ差電圧で補正されるので、そのような伝達特性の差をキャンセルされる。
【００４５】
この第３実施形態によれば、ＴＦＴ１４４の特性が環境温度や経年変化などにより変化しても、さらに、３本の画像信号線１４８の供給経路において伝達特性に差が生じても、データ線１１４に、階調値に応じた電圧を正しくサンプリングさせることが可能となる。
【００４６】
上述した第１実施形態では、垂直走査期間Ｆbにおいて信号ＤeをＨレベルとして、モニター信号Ｍaを画像信号線１４８に供給するとともに、ＴＦＴ１４５をオンさせて、ダミ
ーデータ線１１５に現れる信号Ｍbの電圧から、差電圧を求める構成としたが、信号ＤeをＨレベルとする期間は、表示に寄与する画素のデータ信号Ｖidを供給する期間以外であれば、いつでもよい。例えば、図１２に示されるように、信号Ｄeを水平帰線期間ＨbにＨレベルとしても良い。水平帰線期間Ｈbに、信号ＤeをＨレベルとする場合、ラッチ回路６６は、ある水平帰線期間において減算回路６４により出力された差電圧を、次の水平走査期間にわたって保持する構成であれば良い。
【００４７】
なお、画素の書込極性をフレーム反転とする場合、最終行を除く行の書込極性と、次行の書込極性とは同一である。このため、モニター信号生成回路５８は、最終行が選択される水平走査期間を除き、極性指定信号Ｐolで指定された書込極性と同一極性であって所定の階調値に相当する電圧のモニター信号Ｍaを出力すれば良い。
ただし、画素の書込極性をフレーム反転とする場合、最終（１０８０行）が選択される水平走査期間から、次行（１行）が選択される水平走査期間にかけて、書込極性が反転するので、モニター信号生成回路５８は、最終行が選択される水平走査期間に限って、極性指定信号Ｐolで指定された書込極性と反対極性であって所定の階調値に相当する電圧のモニター信号Ｍaを出力すれば良い。
【００４８】
また、画素の書込極性を走査線毎の反転（ライン反転）とする場合、１０８０が偶数であるので、最終行を除く行の書込極性と次行の書込極性とは反転する。このため、ライン反転とする場合、モニター信号生成回路５８は、最終行が選択される水平走査期間を除き、極性指定信号Ｐolで指定された書込極性と反対極性であって所定の階調値に相当する電圧のモニター信号Ｍaを出力すれば良い。
ライン反転とする場合、最終（１０８０行）が選択される水平走査期間から、次行（１行）が選択される水平走査期間にかけて、書込極性が反転しないので、モニター信号生成回路５８は、最終行が選択される水平走査期間に限って、極性指定信号Ｐolで指定された書込極性と同一極性であって所定の階調値に相当する電圧のモニター信号Ｍaを出力すれ
ば良い。
なお、走査線数が奇数とした場合にライン反転にすると、ある行の書込極性と、次行の書込極性とは常に反転するので、モニター信号生成回路５８は、極性指定信号Ｐolで指定された書込極性と反対極性であって所定の階調値に相当する電圧のモニター信号Ｍaを出
力すれば良いことなる。
【００４９】
このように、マトトリクス状に配列する画素に対してどのような極性で書き込むかにつ
いては、差電圧を求めたときのモニター信号Ｍaの極性と、当該差電圧を用いて補正する
データ信号の極性とを一致させるのであれば、特に制限がない。
また、信号Ｄeを水平帰線期間ＨbにＨレベルとする構成を、第２実施形態に適用すれば、ＬＵＴ８２の更新を、より短期間で済ますことが可能となる。
【００５０】
ところで、ＴＦＴ１４５およびダミーデータ線１１５は、上述したようにＴＦＴ１４４からデータ線１１４に至る配線経路を模擬するためのものであるから、できるだけ動作状態を揃えることが好ましいと考えられる。
このため、ＴＦＴ１４５をオンさせる信号については、信号Ｄeではなく、サンプリン
グ信号Ｓ1〜Ｓ1920（Ｓ640)と同様なパルス幅を有する信号としても良い。このためには
、例えばサンプリング信号出力回路１４２が、水平帰線期間に、サンプリング信号Ｓ1921（Ｓ641)を出力する構成として、これをＴＦＴ１４５のゲート電極に供給することが考えられる。
【００５１】
次に、上述した実施形態に係る電気光学装置を用いた電子機器の例について説明する。図１３は、上述した電気光学装置１０をライトバルブとして用いた３板式プロジェクタの構成を示す平面図である。
このプロジェクタ２１００において、ライトバルブに入射させるための光は、内部に配置された３枚のミラー２１０６および２枚のダイクロイックミラー２１０８によってＲ（赤）、Ｇ（緑）、Ｂ（青）の３原色に分離されて、各原色に対応するライトバルブ１００Ｒ、１００Ｇおよび１００Ｂにそれぞれ導かれる。
なお、Ｂの光路長は、他のＲおよびＧの光路長と比較して長くなっているので、Ｂの光路の途中には光路長を補正するために、入射レンズ２１２２、リレーレンズ２１２３および出射レンズ２１２４からなるリレーレンズ系２１２１を介して導かれる。
【００５２】
ここで、ライトバルブ１００Ｒ、１００Ｇおよび１００Ｂの構成は、上述した実施形態における電気光学装置１０の液晶表示パネル１００と同様であり、外部上位装置（図示省略）から供給されるＲ、Ｇ、Ｂの各色に対応する表示データでそれぞれ駆動されるものである。
ライトバルブ１００Ｒ、１００Ｇ、１００Ｂによってそれぞれ変調された光は、ダイクロイックプリズム２１１２に３方向から入射する。そして、このダイクロイックプリズム２１１２において、Ｒ色およびＢ色の光は９０度に屈折する一方、Ｇ色の光は直進する。したがって、各色の画像が合成された後、レンズユニット２１１４によって拡大投影されるので、スクリーン２１２０には、カラー画像が表示されることとなる。
【００５３】
なお、ライトバルブ１００Ｒ、１００Ｂの透過像は、ダイクロイックプリズム２１１２により反射した後に投射されるのに対し、ライトバルブ１００Ｇの透過像はそのまま投射されるので、ライトバルブ１００Ｒ、１００Ｂによる水平走査方向は、ライトバルブ１００Ｇによる水平走査方向と逆向きにして、左右反転像を表示させる構成となっている。
【００５４】
また、電子機器としては、図１３を参照して説明した他にも、直視型、例えば携帯電話や、パーソナルコンピュータ、テレビジョン、ビデオカメラのモニター、カーナビゲーション装置、ページャ、電子手帳、電卓、ワードプロセッサ、ワークステーション、テレビ電話、ＰＯＳ端末、ディジタルスチルカメラ、タッチパネルを備えた機器等などが挙げられる。そして、これらの各種の電子機器に対して、本発明に係る電気光学装置が適用可能なのは言うまでもない。
【図面の簡単な説明】
【００５５】
【図１】本発明の第１実施形態に係る電気光学装置の構成を示す図である。
【図２】同電気光学装置における画素の構成を示す図である。
【図３】同電気光学装置における制御回路の構成を示す図である。
【図４】同電気光学装置の動作を示す図である。
【図５】同電気光学装置の動作を示す図である。
【図６】同電気光学装置の動作を示す図である。
【図７】同電気光学装置の動作を示す図である。
【図８】同電気光学装置の変形例にかかる動作を示す図である。
【図９】第２実施形態に係る電気光学装置の制御回路の構成を示す図である。
【図１０】同制御回路におけるＬＵＴの変換内容を示す図である。
【図１１】第３実施形態に係る電気光学装置の構成を示す図である。
【図１２】同電気光学装置の別例にかかる動作を示す図である。
【図１３】実施形態に係る電気光学装置を適用したプロジェクタの構成を示す図である。
【符号の説明】
【００５６】
１０…電気光学装置、５０…制御回路、５４…データ信号変換回路、５８…モニター信号生成回路、６０…バッファ回路、６２…ＬＰＦ、６４…減算回路、６６…ラッチ回路、６８…加算回路、７０…スイッチ、８２…ＬＵＴ、１００…液晶表示パネル、１０８…対向電極、１１０…画素、１１２…走査線、１１４…データ線、１１５…ダミーデータ線、１１６…ＴＦＴ、１１８…画素電極、１２０…液晶容量、１３０…ダミー容量、１４４、１４５…ＴＦＴ、２１００…プロジェクタ
【図１】
2008216426.tif 000003
【図２】
2008216426.tif 000004
【図３】
2008216426.tif 000005
【図４】
2008216426.tif 000006
【図５】
2008216426.tif 000007
【図６】
2008216426.tif 000008
【図７】
2008216426.tif 000009
【図８】
2008216426.tif 000010
【図９】
2008216426.tif 000011
【図１０】
2008216426.tif 000012
【図１１】
2008216426.tif 000013
【図１２】
2008216426.tif 000014
【図１３】
2008216426.tif 000015